(57)【要約】  【課題】  上止、下止内に形成した収容部に芯部を正確に位置決めして保持し、かしめ時に芯部を収容部内に充填させ強固に固定できるファスナーの止具を提供する。  【解決手段】  断面形状が略コの字状を呈する上止１、また断面形状が略エの字状を呈する下止２において、直方体の基部４から断面鍵形すなわち先端にフック部１２を有する脚部５を屈設し、基部４と脚部５とによって抱囲され、芯部２３を収容できる収容部７を設け、基部４の内面に１条の突出部８を連続または断続状に形成し、突出部８と脚部５の付根との間に空隙部を設け、突出部８は芯部２３を正確に位置決めして保持し、空隙部９はかしめ時に芯部２３が逃避して充填し強固に固定できる。【選択図】  図3
2005152023.tif 000002
【特許請求の範囲】
【請求項１】
基部４から一対の脚部５を屈設し、基部４と脚部５とに抱囲される収容部７を設け、基部４の内面に突出部８を突設し、突出部８と脚部５の付根との間に空隙部９を設け、収容部７にファスナーテープ２２の側縁に備えた芯部２３を止着可能に形成してなることを特徴とするスライドファスナー用止具。
【請求項２】
突出部８は、連続状に収容部７へ向けて突出する形状に形成してなる請求項１記載のスライドファスナー用止具。
【請求項３】
突出部８は、断続状に収容部７へ向けて突出する形状に形成してなる請求項１記載のスライドファスナー用止具。
【請求項４】
突出部８は、ファスナーテープ２２と略同等の厚さから形成してなる請求項１記載のスライドファスナー用止具。
【請求項５】
脚部５の内面に突条部１０を収容部７へ向けて突出する形状に形成してなる請求項１記載のスライドファスナー用止具。
【請求項６】
脚部５の内面に突起部１１を収容部７へ向けて突出する形状に形成してなる請求項１記載のスライドファスナー用止具。
【請求項７】
脚部５の内面に突条部１０と突起部１１とを収容部７へ向けて突出する形状に形成してなる請求項１記載のスライドファスナー用止具。
【請求項８】
基部４の両面に脚部５を屈設して両側に収容部７を設けて下止２に形成してなる請求項１記載のスライドファスナー用止具。
【請求項９】
基部４の片面に脚部５を屈設して片側に収容部７を設けて上止１に形成してなる請求項１記載のスライドファスナー用止具。
【請求項１０】
脚部５の一側先端に側方へ突出する停止片１４を設けて上止１に形成してなる請求項９記載のスライドファスナー用止具。
【請求項１１】
停止片１４の付根における脚部５の内面に突起部１１を収容部７へ向けて突設してなる請求項１０記載のスライドファスナー用止具。
【発明の詳細な説明】
【技術分野】
【０００１】
この発明は、テープの一側縁に芯部を備えたファスナーテープを用いたスライドファスナーにおけるファスナーエレメントに連接して取り付け、スライダーの摺動を停止させる機能を備えた金属製の上止または下止のスライドファスナー用止具に関するものである。
【背景技術】
【０００２】
従来、ファスナーテープの一側縁に形成した膨大状の芯部に取り付けるスライドファスナーの上止として、図１５に示すように、金属板を倒コ字状に曲折して、中央基部の前後両端に内方へ突出する突出部を曲折し、基部の両側に脚部を形成し、この脚部の内面に複数のリブを設けたスライドファスナーの上止をファスナーテープの芯部にかしめ固定するスライドファスナーが知られている。
【０００３】
また図１６に示すように、表裏の脚部を接続または分断した断面略倒コ字状に形成して挿入溝を設け、この挿入溝の内面基部の側壁に、ファスナーテープに取り付けた複数個の金属製の咬合子すなわちファスナーエレメントの間の嵌合できる突片を複数個設け、挿入溝の内面先端すなわち脚部の先端に内向きの突出部を形成してファスナーテープに取り付けるタイプのスライドファスナーの上止が知られている。
【特許文献１】米国特許第２１６１３２９号明細書
【特許文献２】実開昭４９−１０６５０４号公報
【発明の開示】
【発明が解決しようとする課題】
【０００４】
前述の図１５に示したスライドファスナーの上止は、ファスナーテープの芯部から上止の突出量を一定にするため、上止の両端に突出部を設けて規制しているのでメリットがあるが、上止を芯部に取り付けるのは突出部間の脚部の裏面に設けたリブによって圧着するものであり、突出部近傍においては突出部が邪魔をして強力に芯部を捕捉することができない。従って上止全体で芯部を圧着できないから有効な圧着効果は期待できないなど問題点がある。
【０００５】
また図１６に示したスライドファスナーの上止は、上止が各種タイプの咬合子すなわちファスナーエレメントに共通して使用できるものでないから、上止はファスナーエレメントの大きさ形状に合わせて使用するので、数種類の上止を用意し、ファスナーエレメントによって使い分けてファスナーストリンガーに取り付けるから、コスト高になり不経済であり、かつ不便であるなど問題点がある。
【０００６】
この発明は、上述の問題点を考慮して発明されたものであり、請求項１記載の発明は、止具内の収容部にファスナーテープの芯部を的確に保持させるため、収容部に突出部を設置して芯部の配置を正確に位置決めし、位置決めされた芯部を止具における収容部の全長および全幅において的確に捕捉して強固に止着させることができるスライドファスナー用止具を提供することが主たる目的である。
【０００７】
請求項２〜４記載の発明は、それぞれ請求項１記載の発明の目的に加え、止具内の収容部に設置する突出部の形態を特定し、正確に芯部の位置決めができ、かつ収容部内での芯部の押圧変形を容易にできるスライドファスナー用止具を提供することが目的である。
【０００８】
請求項５〜７記載の発明は、それぞれ請求項１記載の発明の目的に加え、止具における脚部の内面で芯部を的確に捕捉し、かつ強固に止着することができるスライドファスナー用止具を提供することが目的である。
【０００９】
請求項８記載の発明は、請求項１記載の発明の目的に加え、ファスナーチエンの下端に設置する下止として適用できる形態を備えたスライドファスナー用止具を提供することが目的である。
【００１０】
請求項９〜１１記載の発明は、請求項１記載の発明の目的に加え、ファスナーチエンの上端に設置する上止として適用できる形態を備えたスライドファスナー用止具を提供することが目的である。
【課題を解決するための手段】
【００１１】
前記の目的を達成するため、この発明のうち請求項１記載の発明は、基部４から一対の脚部５を屈設し、基部４は概ね長方形あるいは直方体状を呈し、基部４と脚部５とによって抱囲されるファスナーテープ２２の芯部２３を収容できる収容部７を設け、基部４の内面に突出部８を突出状に設け、突出部８と脚部５の付根との間に空隙部９を設け、基部４と脚部５によって抱囲された収容部７にファスナーテープ２２の側縁に備えた膨大状の芯部２３を止着できるように形成したスライドファスナー用止具を主な構成とするものである。
【００１２】
請求項２記載の発明は、請求項１記載の発明の構成に加え、基部４の内面に突設する突出部８は、連続状に収容部７に向けて突出する形状に形成したスライドファスナー用止具である。
【００１３】
請求項３記載の発明は、請求項１記載の発明の構成に加え、基部の内面に突設する突出部８は、断続状に収容部７に向けて突出する形状に形成したスライドファスナー用止具である。
【００１４】
請求項４記載の発明は、請求項１記載の発明の構成に加え、基部４の内面に突設する突出部８は、止具を取り付けるファスナーテープ２２の厚さと略同一の厚さから形成したスライドファスナー用止具である。
【００１５】
請求項５記載の発明は、請求項１記載の発明の構成に加え、脚部５の内面に突条部１０を突設し、突条部１０は収容部７に向けて突出し、この突条部１０は一定の幅をもって止具全長にわたって突出する形状に形成したスライドファスナー用止具である。
【００１６】
請求項６記載の発明は、請求項１記載の発明の構成に加え、脚部５の内面に突起部１１を突設し、突起部１１は収容部７に向けて突出し、この突起部１１は一定の幅、長さを備え孤立的に突出する形状で随所に形成したスライドファスナー用止具である。
【００１７】
請求項７記載の発明は、請求項１記載の発明の構成に加え、脚部５の内面に突条部１０と突起部１１とを突設し、突条部１０と突起部１１はそれぞれ収容部に向けて突出する形状に形成したスライドファスナー用止具である。
【００１８】
請求項８記載の発明は、請求項１記載の発明の構成に加え、基部４の両面に一対の脚部５を屈設し、基部４の両側に基部４と脚部５とによって抱囲される収容部７を対称的に設けて下止２に形成したスライドファスナー用止具である。
【００１９】
請求項９記載の発明は、請求項１記載の発明の構成に加え、基部４の片面に一対の脚部５を屈設し、基部４の片面に基部４と脚部５とによって抱囲される収容部７を設けて上止１に形成したスライドファスナー用止具である。
【００２０】
請求項１０記載の発明は、請求項９記載の発明の構成に加え、基部４に屈設した脚部５の一側先端部分に、側方すなわち横方向へ突出する停止片１４を設け、上止１として形成したスライドファスナー用止具である。
【００２１】
請求項１１記載の発明は、請求項１０記載の発明の構成に加え、脚部５の先端に設けた停止片１４の付根における脚部５の内面に、突起部１１を収容部７へ向けて突設したスライドファスナー用止具である。
【発明の効果】
【００２２】
この出願の発明の効果として、請求項１記載の発明は、基部４から一対の脚部を屈設し、基部と脚部とに抱囲される収容部を設け、基部の内面に突出部を突設し、突出部と脚部の付根との間に空隙部を設け、収容部にファスナーテープの側縁に備えた芯部を止着可能に形成したことによって、下記の効果を奏する。
【００２３】
基部の内面に設けた突出部は、収容部へ配置するファスナーテープの芯部を正確に位置決めし、脚部のかしめ加工を容易にするとともに、突出部と脚部の付根との間に設けた空隙部は、収容部に配置した芯部を脚部のかしめの際、収容部の全長および全幅において芯部を収容部内で容易に変形させ捕捉できる優れた効果がある。
【００２４】
請求項２〜４記載の発明は、それぞれ請求項１記載の発明の効果に加え、突出部は、連続状に収容部へ向けて突出する形状、または断続状に収容部へ向けて突出する形状、あるいは突出部をファスナーテープと略同等の厚さから形成したことによって、収容部に設置する芯部の位置決めを的確に行い、収容部内での芯部の押圧変形を容易、かつ効果的に行うことができる効果がある。
【００２５】
請求項５〜７記載の発明は、それぞれ請求項１記載の発明の効果に加え、脚部の内面に突条部を収容部へ向けて突出する形状、また突起部を収容部へ向けて突出する形状、あるいは突条部と突起部とを収容部へ向けて突出する形状に形成したことによって、収容部内に配置した芯部を突条部または突起部により的確に捕捉し、強固に挟着でき、止具が芯部上をずれ動くのを完全に阻止できる効果がある。
【００２６】
請求項８記載の発明は、請求項１記載の発明の効果に加え、基部の両面に脚部を屈設して両側に収容部を設けて下止に形成したことによって、機能的に優れたスライドファスナーの下止として使用できる効果がある。
【００２７】
請求項９〜１１記載の発明は、それぞれ請求項１記載の発明の効果に加え、基部の片面に脚部を屈設して片側に収容部を設け、または脚部の一側先端に側方へ突出する停止片を設け、あるいは停止片の付根における脚部の内面に突起部を収容部へ向けて設けて上止に形成したことによって、機能的に優れたスライドファスナーの上止として使用でき、上止はスライダーを的確かつ容易に停止させることができ、かつ上止はファスナーテープの芯部に強力に食い込み止着し、スライダーの激突に対しても微動だにしない品質のよい上止に仕上げられる効果があるなど、この発明が奏する効果は、きわめて顕著である。
【発明を実施するための最良の形態】
【００２８】
この発明におけるスライドファスナー用止具は、図１に示すようにスライドファスナーの上端および下端に取り付ける上止１および下止２であり、上止１および下止２は、亜鉛合金、アルミニウム合金などの金属素材を用いてダイカスト成形により作製し、または押出→圧延→切断→研磨加工によって作製する。上止１はファスナーストリンガー２１における上端の側縁に取り付け、また下止２は左右のファスナーストリンガー２１にわたって、すなわちファスナーチエン２０の下端に架橋状に取り付ける。上止１は断面形状が略コの字状を呈し、先端の開口部分がやや拡開した形状であり、また下止２は断面形状が略エの字状を呈し、両側の開口部分がやや拡開した形状である。
【００２９】
上止１は、中央部分の平坦な長方形または直方体の基部４の両長辺から断面鍵形すなわち先端にフック部１２を有する脚部５を屈設し、基部４と脚部５とによって抱囲され、芯部２３を収容できる収容部７を設け、基部４の内面に細幅状の１条の突出部８を設け、この突出部８は上止１の全長にわたって連続状、または断続状に形成するとともに、突出部８と脚部５の付根との間に空隙部９を設けて、芯部２３が押圧変形した際、逃避できる隙間である。
【００３０】
上止１の脚部５は、内面に全長にわたって突条部１０、または突起部１１、あるいは突条部１０と突起部１１とを併設し、かつ脚部５の先端に形成したフック部１２とにより、脚部５を上下から加圧変形、すなわちかしめ加工して芯部２３を強固に止着できるように形成する。さらに上止１は脚部５における一側先端に側へ突出する停止片１４を設け、摺動するスライダー２５のフランジ２６と当接してスライダー２５を停止させる機能を備えたスライドファスナー用止具である。
【実施例１】
【００３１】
図１に示すように、この発明のスライドファスナー用止具は、ファスナーチエン２０の上端において左右のファスナーストリンガー２１の側縁の芯部２３に取り付ける上止１およびファスナーチエン２０の下端における左右のファスナーストリンガー２１に架橋状に取り付ける下止２を指すものである。
【００３２】
図２〜４に示す実施例１のスライドファスナー用止具は、上止１に関するものであり、上止１は断面形状が図３，４に示すように略コの字形を呈し、先端の開口部分がやや拡開してファスナーテープ２２の芯部２３を挿入できる形状に形成する。上止１は中央部分に平坦状の長方形または直方体の基部４を設け、この基部４の上下の長辺から断面鍵形の脚部５を略平行状に屈設し、脚部５の先端にはフック部１２を設け、基部４と脚部５とによって抱囲され芯部２３を抱え込み収容できる収容部７を設ける。
【００３３】
基部４の内面には上下１における長手方向全長にわたって細幅状の１条の突出部８を収容部７に向けて突出する形状に形成し、収容部７に芯部２３を収容したとき、図３に示すように芯部２３を突出部８に接触させ芯部２３の正確な位置決めを行って芯部２３を保持できる。また突出部８と脚部５の付根部分との間に空隙部９を設け、上下の脚部５を押圧変形、すなわちかしめ加工したとき、図４に示すように芯部２３がこの空隙部９へ逃避して充填できるように形成する。
【００３４】
上下脚部５の内面には全長にわたって隆起する１条の突条部１０を突設して収容部７に収容された芯部２３をかしめ加工によって挟持し、かつ上止１を芯部２３に強固に取り付ける。上下脚部５の一側の先端に小突片状の停止片１４を側方、すなわちファスナーストリンガー２１の横方向へ向けて突設し、かしめ加工のとき、停止片１４はファスナーテープ２２を表裏から挟持し、ファスナーチエン２０に挿通したスライダー２５の摺動の際、停止片１４とスライダー２５のフランジ２６との当接により摺動を抑止しスライダー２５を停止させる機能を具有する。
【００３５】
この上止１の使用態様は、ファスナーテープ２２の側縁に金属製または樹脂製の単体から形成されたファスナーエレメント２４を取り付けた表裏対称のファスナーストリンガー２１のファスナーエレメント２４に連接した部分の芯部２３に上止１をかしめ加工によって取り付けて使用するものである。またこのタイプの上止１、すなわち脚部５の先端に停止片を配設した上止１は、亜鉛合金またはアルミニウム合金の金属素材を用いてダイカスト成形手段によって作製する。
【実施例２】
【００３６】
次に図５〜７に示す実施例２のスライドファスナー用止具は、上止１であり、このタイプの上止１は前記実施例１の上止１と略同一形態であるが、異なる構成は脚部５の先端に停止片を設置してないこと、また上止１の基部４の厚さを分厚く形成したことであり、他の構成は全く同一である。上止１の基部４の内面には１条の突出部８を設け、かつ突出部８と脚部５の付根との間に空隙部９を設けるとともに、基部４と脚部５とによって抱囲して収容部７を設け、収容部７に配されたファスナーテープ２２の芯部２３の収容部７内での正確な位置決めを行う。脚部５の内面には全長にわたって隆起する突条部１０を設け、脚部５のかしめ工程の際、芯部２３を押圧変形させ上止１を強固に取り付けることができる。
【００３７】
この上止１の使用態様は、ファスナーチエン２０の左右のファスナーストリンガー２１の上端にファスナーエレメント２４に連接して上止１を取り付け、ファスナーチエン２０に挿通したスライダー２５を摺動させると、上止１の分厚い基部４により、上止１はスライダー２５の案内柱２７とフランジ２６との双方に摺接して摩擦抵抗が生じ、上止１をエレメントガイド溝２８を通過させることができない。従ってスライダー２５を停止させる機能を具有する。また上止１の作製手段として金属素材を用いてダイカスト成形することもできるが、他の作製手段として上止の開口部分が拡開した状態の断面形状をしたバー材を押出加工によって押出し、圧延した後、上止寸法に切断し研磨して上止に仕上げる作製手段を採用することができる。
【実施例３】
【００３８】
図８に示す実施例３のスライドファスナー用止具は、実施例２で示した上止１が脚部５の先端に停止片を設置せず、上止１の基部４を分厚く形成して、スライダー２５を摺動させたとき、スライダー２５の案内柱２７とフランジ２６との双方に摺接して摩擦抵抗が生じ、上止１をエレメントガイド溝２８を通過させることができない形に形成したものであるが、図８に示す上止１は基部４の厚みを実施例１の上止１の基部４と同厚に形成し、脚部５の先端部分のフック部１２の突出幅を広幅に形成し、フック部１２がファスナーエレメント２４の上下脚部５の側端よりも横方向へ突出させスライダー２５のフランジ２６に当接させてスライダー２５の摺動動作を停止させることができる上止１である。
【実施例４】
【００３９】
図９、１０に示す実施例４のスライドファスナー用上止１は、基部４の内面に１条の突出部８を設け、かつ突出部８と脚部５の付根との間に空隙部９を設けるとともに、収容部７も設けて、収容部７に配される芯部２３の位置決めを行い、かつかしめ加工の際、芯部２３を逃避させ充填させることが容易にできるように形成する。一方脚部５の内面には、小突起状に突出する突起部１１を複数個設け、脚部５の先端に停止片１４を突設する。この上止１をかしめ加工によって脚部５を押圧すると、突起部１１が芯部２３に食い込み、上止１を強固に芯部２３に対して固定することができる。さらにこのタイプの上止１は停止片１４を設けたフック部１２の内側に突起部１１を設け、停止片１４を安定した状態に固定することが望ましい。
【実施例５】
【００４０】
図１１，１２に示す実施例５のスライドファスナーの止具１は、基部４の内面に１条の突出部８を設け、かつ突出部８と脚部５の付根との間に空隙部９を設けるとともに、基部４と脚部５とによって収容部７を設けて収容部７に配される芯部２３の位置決めを行い、かつかしめ加工の際芯部２３を空隙部９へ逃避させて充填し、強固に固定することができ、脚部５の内面には全長にわたって隆起する突条部１０を設けるとともに、小突起状の突起部１１を複数個設けて、突条部１０と突起部１１とを併設した構成に特徴があり、収容部７に配された芯部２３を強力に圧縮させて強固に固定することができる。また脚部５の先端には停止片１４を設け、停止片１４の内側には突起部１１を設けて安定した状態で停止片１４を配設する。使用態様は前例と同様である。
【実施例６】
【００４１】
図１３，１４に示す実施例６のスライドファスナー用止具は、スライドファスナーにおけるファスナーチエン２０の下端に架橋状に左右のファスナーストリンガー２１に架設する下止２に関するものである。下止２は全体の断面形状が図１３に示すように、略エの字形を呈し、中央の柱状すなわち直方体の基部４における両側に細幅状の突出部８を設けて芯部２３の位置決めを行い、基部４の上下端からそれぞれ前方へ断面鍵形の脚部５を突設し、基部４と脚部５とによって抱囲された収容部７を設け、基部４と脚部５の付根との間に空隙部９を設けて芯部２３の逃避かつ充填を図り、脚部５の先端はフック部１２を形成する。
【００４２】
上下脚部５の内面には、それぞれ全長にわたって隆起する１条の突条部１０を設け、さらに複数個の小突起状の突起部１１を収容部７に向け突設して、双方の収容部７に収容された芯部２３を脚部５のかしめ加工により、フック部１２、突起部１１、突条部１０によって芯部２３を挟持し、ファスナーチエン２０の下端を閉止する。この際下止２は左右のファスナーストリンガー２１のファスナーエレメント２４に連接する形で、ファスナーエレメント２４が存在しない芯部２３に跨って配して固定し、スライダー２５の後口側に当接させてスライダー２５の摺動を停止させる機能を具有する。
【産業上の利用可能性】
【００４３】
この発明のスライドファスナー用止具は、スライドファスナーにおける一部品であり、止具はスライドファスナーの上止および下止として、亜鉛合金、アルミニウム合金の金属素材を用いて、単体の咬合子すなわちファスナーエレメントを形成し、表裏対称にファスナーテープに取り付けた金属製のスライドファスナー、またはポリアセタール、ポリアミドなどの熱可塑性樹脂を用いて、単体のファスナーエレメントを表裏対称にファスナーテープに射出成形した樹脂製のスライドファスナーの上止および下止として活用する。
【図面の簡単な説明】
【００４４】
【図１】止具を取り付けたスライドファスナーの正面図である。
【図２】上止の斜視図である。（実施例１）
【図３】同上上止に芯部を挿入した状態を示す断面図である。
【図４】同上上止を芯部にかしめ付けた状態を示す断面図である。
【図５】上止の一部切欠した斜視図である。（実施例２）
【図６】同上上止に芯部を挿入した状態を示す断面図である。
【図７】同上上止を芯部にかしめ付けた状態を示す断面図である。
【図８】上止の一部切欠した斜視図である。（実施例３）
【図９】上止の斜視図である。（実施例４）
【図１０】同上上止を芯部にかしめ付けた状態を示す断面図である。
【図１１】上止の斜視図である。（実施例５）
【図１２】同上上止に芯部を挿入した状態を示す一部断面図である。
【図１３】下止の斜視図である。
【図１４】同上下止を芯部にかしめ付けた状態を示す断面図である。
【図１５】公知の上止の装着状態を示す断面図である。
【図１６】他の公知の上止の一部欠した斜視図である。
【符号の説明】
【００４５】
１            上止
２            下止
４            基部
５            脚部
７            収容部
８            突出部
９            空隙部
１０            突条部
１１            突起部
１４            停止部
２２            ファスナーテープ
２３            芯部
【図１】
2005152023.tif 000003
【図２】
2005152023.tif 000004
【図３】
2005152023.tif 000005
【図４】
2005152023.tif 000006
【図５】
2005152023.tif 000007
【図６】
2005152023.tif 000008
【図７】
2005152023.tif 000009
【図８】
2005152023.tif 000010
【図９】
2005152023.tif 000011
【図１０】
2005152023.tif 000012
【図１１】
2005152023.tif 000013
【図１２】
2005152023.tif 000014
【図１３】
2005152023.tif 000015
【図１４】
2005152023.tif 000016
【図１５】
2005152023.tif 000017
【図１６】
2005152023.tif 000018